(57)【要約】      （修正有）【課題】捕獲対象の習性を利用して、特に警戒心が強く、また、集団で行動をする習性のあるカラスを効果的に捕獲できる鳥獣の捕獲装置を提供する。【解決手段】地面Ｇに設置する立体形状の枠体１１０と、枠体の天面および側面を囲む金網体１２０により、その内部に捕獲対象の鳥獣を捕獲する捕獲室と、捕獲された鳥獣を収容するフリースペース室を設ける。捕獲室の天面の一部に捕獲対象の鳥獣の進入を許容する進入口１３０を設け、進入口１３０の周囲に所定の間隔で全周かつ複数列にわたり、天面から下向きに延びる脱出防止部材を配列した脱出防止装置を設ける。進入口１３０の近傍に止まり木１３１を取り付ける。【選択図】図１
0003193613.tif 000002
【実用新案登録請求の範囲】
【請求項１】
地面に設置される立体形状の枠体と、当該枠体の天面および側面を囲む金網体により、その内部に捕獲対象の鳥獣を捕獲し収容する収容室が形成され、前記天面の一部に捕獲対象の鳥獣の進入を許容する、長さ５０〜６０ｃｍで幅４０〜５０ｃｍの大きさの進入口が設けられ、当該進入口の周囲に所定の間隔で全周にわたり、天面から下向きに延びる脱出防止部材が配列された脱出防止装置が設けられていることを特徴とする鳥獣の捕獲装置。
【請求項２】
前記脱出防止装置は、前記進入口の周囲に、前記脱出防止部材が所定の間隔で全周かつ複数列にわたり配列されていることを特徴とする請求項１記載の鳥獣の捕獲装置。
【請求項３】
前記脱出防止装置は、前記進入口に近い列の脱出防止部材の天面から下向きに延びる長さよりも、前記進入口に遠い列の脱出防止部材の天面から下向きに延びる長さが大きいことを特徴とする請求項１または請求項２記載の鳥獣の捕獲装置。
【請求項４】
前記脱出防止装置は、前記脱出防止部材が３列以上にわたり配列されてなり、前記進入口に最も近い列の脱出防止部材から、前記進入口に最も遠い列の脱出防止部材にかけて、それぞれの天面から下向きに延びる長さが順次大きくなっていることを特徴とする請求項１ないし請求項３のいずれか一項に記載の鳥獣の捕獲装置。
【請求項５】
前記進入口の近傍に止まり木が取り付けられていることを特徴とする請求項１ないし請求項４のいずれか一項に記載の鳥獣の捕獲装置。
【請求項６】
前記収容室は、進入口の直下に位置する捕獲室と、捕獲室に捕獲された鳥獣が開口部を通して移動可能なフリースペース室を備えていることを特徴とする請求項１ないし請求項５のいずれか一項に記載の鳥獣の捕獲装置。
【考案の詳細な説明】
【技術分野】
【０００１】
本考案は、主に鳥害対策に用いられる装置で、特にカラスの捕獲に適した鳥獣捕獲装置に関するものである。
【背景技術】
【０００２】
近年、イノシシ・シカ・カラス等の野生動物による農作物被害が全国で大きな問題となっている。なかでもカラスによる被害は、ゴミ集積所でのゴミの散乱、繁殖期における人に対する威嚇・攻撃、さらに家畜への被害など多岐にわたっている。しかしながら、カラスは個体数が多く、集団で行動する社会性をもち、警戒心も強いため、猟銃による駆除や、檻による捕獲が実施されているが、現状では被害を大きく低下させるには至っていない。
【０００３】
かかる背景から、カラスの捕獲装置に関する提案がなされている（特許文献１〜２）。いずれの提案も檻の天面にカラスの進入口を設け、檻の中にカラスを捕獲するようになっている。
【先行技術文献】
【特許文献】
【０００４】
【特許文献１】特開２００３−９２９７３号公報
【特許文献２】特開２００４−９７００１号公報
【考案の概要】
【考案が解決しようとする課題】
【０００５】
しかしながら、上記従来の捕獲装置は、檻の中に捕獲したカラスが進入口から外に逃げ出さないような工夫がなされているが、警戒心の強いカラスに対してはその抑制効果が十分であるとは言えなかった。
【０００６】
本考案は上記課題に鑑みてなされたもので、捕獲対象の習性を利用して、特に警戒心が強く、また、集団で行動をする習性のあるカラスを効果的に捕獲できる鳥獣の捕獲装置を提供することを目的とする。
【課題を解決するための手段】
【０００７】
上記課題を解決するために、本考案に係る鳥獣の捕獲装置は、
地面に設置する立体形状の枠体と、当該枠体の天面および側面を囲む金網体により、その内部に捕獲対象の鳥獣を捕獲し収容する収容室を形成し、前記天面の一部に捕獲対象の鳥獣の進入を許容する、長さ５０〜６０ｃｍで幅４０〜５０ｃｍの大きさの進入口を設け、当該進入口の周囲に所定の間隔で全周にわたり、天面から下向きに延びる脱出防止部材を配列した脱出防止装置を設けたことを主要な特徴とする。
【０００８】
本考案に係る鳥獣の捕獲装置は、前記脱出防止装置が、前記進入口の周囲に、前記脱出防止部材を所定の間隔で全周かつ複数列にわたり配列したことを第２の特徴とする。なお、前記複数列の各脱出防止部材は、天面からの長さを４０〜１５０ｃｍとし、各列の間隔を８〜５０ｃｍとすることが望ましい。
【０００９】
本考案に係る鳥獣の捕獲装置は、前記脱出防止装置が、前記進入口に近い列の脱出防止部材の天面から下向きに延びる長さよりも、前記進入口に遠い列の脱出防止部材の天面から下向きに延びる長さを大きくしたことを第３の特徴とする。なお、隣接する列どうしの脱出防止部材の長さの寸法差を１０〜５０ｃｍとすることが望ましい。
【００１０】
本考案に係る鳥獣の捕獲装置は、前記脱出防止装置が、前記脱出防止部材を３列以上にわたり配列してなり、前記進入口に最も近い列の脱出防止部材から、前記進入口に最も遠い列の脱出防止部材にかけて、それぞれの天面から下向きに延びる長さを順次大きくしたことを第４の特徴とする。なお、各列の各脱出防止部材は、天面からの長さを４０〜１５０ｃｍとし、各列の間隔を８〜５０ｃｍとすること、隣接する列どうしの脱出防止部材の長さの寸法差を１０〜５０ｃｍとすることが望ましい。
【００１１】
本考案に係る捕獲装置は、前記進入口の近傍に止まり木を取り付けたことを第５の特徴とする。
【００１２】
本考案に係る捕獲装置は、前記収容室が、進入口の直下に位置する捕獲室と、捕獲室に捕獲された鳥獣が開口部を通して移動可能なフリースペース室を隣接して備えたことを第６の特徴とする。
【考案の効果】
【００１３】
以上説明したように、本考案に係る捕獲装置を利用することによって、有害鳥獣、特に警戒心が強く、集団行動等の習性のあるカラスを、その習性を利用して大量に捕獲することができ、これまで被っていた生活、農業、畜産における被害を大きく低減できるという優れた効果を奏する。
【図面の簡単な説明】
【００１４】
【図１】本考案の一実施形態を示すもので、捕獲装置の全体構成斜視図、
【図２】図１に示す捕獲装置において、捕獲装置内の捕獲室を示す説明図、
【図３】捕獲室の天面の進入口の周囲に脱出防止装置の脱出防止部材が配列されている状態を示す要部平面図、
【図４】脱出防止装置の各列の脱出防止部材について、進入口を長さ方向に見た取付け状態を示す図、
【図５】脱出防止装置の各列の脱出防止部材について、進入口を幅方向に見た取付け状態を示す図、
【図６】脱出防止装置の作用を説明するための図である。
【考案を実施するための最良の形態】
【００１５】
本考案を実施するための最良の形態につき、図１ないし図６を参照して説明する。図中、符号１００は捕獲装置を示している。
【００１６】
図１は捕獲装置１００の全体斜視図を示している。同図に示すように、捕獲装置１００は、地面Ｇの上に設置される立体形状の枠体１１０と、枠体１１０の天面および四方の側面全体を覆うように取り付けられる金網体１２０を備えており、その内部に捕獲対象の鳥獣（カラス）を捕獲し収容する収容室が形成されている。
【００１７】
枠体１１０は、多数の支柱１１１と、支柱１１１の上端および中間位置に架設された第１水平部材１１２、第２水平部材１１３と、上端の第１水平部材１１２間に架設された第３水平部材１１４を備えている。金網体１２０は、天面金網部１２１と、四方の側面金網部１２２を備えている。
【００１８】
金網体１２０の天面金網部１２１には、鳥獣（以下、カラスを例に述べる）が進入するための進入口１３０が設けられている。進入口１３０の近傍には、カラスが進入口１３０へ進入しやすいように止まり木１３１が取り付けられている。金網体１２０の一の側面金網部１２２には、作業者が出入りするための出入り用扉１４０が設けられている。
【００１９】
図２は捕獲装置１００の内部と捕獲室Ａを示している。図２では捕獲装置１００の内部が分かるように、捕獲室Ａを除き、天面および周囲の金網を省略してある。同図に示すように、捕獲装置１００の内部は、天面に進入口１３０を備える捕獲室Ａと、フリースペース室Ｂに区画されている。これら捕獲室Ａとフリースペース室Ｂから前記収容室が構成される。捕獲室Ａは、捕獲装置１００の一角に設けられ、中間金網部１２３、１２４により、フリースペース室Ｂと区画されている。また、中間金網部１２４の一部に開口部１５０が設けられ、捕獲室Ａに捕獲されたカラスが開口部１５０を通りフリースペース室Ｂへ移動できるようになっている。
【００２０】
図示例の場合、上記捕獲装置１００および捕獲室Ａの大きさは、前者の大きさが全長×全幅×全高＝９００ｃｍ×６００ｃｍ×３００ｃｍであり、後者の大きさが長さ×幅×高さ＝３００ｃｍ×３００ｃｍ×３００ｃｍとされている。残りの空間はフリースペース室Ｂとして利用されるため、上記捕獲装置１００には比較的大きなフリースペース空間が確保されている。また、開口部１３０の大きさは、長さ×幅（図３の縦寸法Ｗ１×横寸法Ｗ２）＝６０ｃｍ×４０ｃｍとされている。
【００２１】
図３ないし図５は上記捕獲装置１００の進入口１３０に設けられた脱出防止装置１６０を示している。図示例の場合、進入口１３０の大きさはこれらの図に示すように、進入口１３０の周囲（図３参照）には、所定の間隔で、天面金網部１２１から垂直下向きに延びる棒状で最も短い（図４および図５参照）長さの脱出防止部材１６１が取り付けられている（第１列の脱出防止部材）。
【００２２】
第１列の脱出防止部材１６１の周囲（間隔ｄ１＝８〜５０ｃｍ、図示例では１０ｃｍ）には、所定の間隔で、天面金網部１２１から垂直下向きに延びる棒状で２番目に短い（図４および図５参照）長さの脱出防止部材１６２が取り付けられている（第２列の脱出防止部材）。第２列の脱出防止部材１６２の周囲（間隔ｄ２＝８〜５０ｃｍ、図示例では１０ｃｍ）には、所定の間隔で、天面金網部１２１から垂直下向きに延びる棒状で最も長い（図４および図５参照）長さの脱出防止部材１６３が取り付けられている（第３列の脱出防止部材）。
【００２３】
最も短い第１列の脱出防止部材１６１の長さＬ１は４０〜１００ｃｍ（図示例では５０ｃｍ）、２番目に短い第２列の脱出防止部材１６２の長さＬ２は７０〜１２５ｃｍ（図示例では８０ｃｍ）、最も長い第３列の脱出防止部材１６３の長さＬ３は９０〜１５０ｃｍ（図示例では１００ｃｍ）とされている。
【００２４】
図６は上記構成の脱出防止装置１６０の作用を示している。図６に示すように、例えば捕獲室Ａ内の地面Ｇ上におとりとなる餌（図示せず）を置くと、空中にいるカラスＫが室内の餌を見つけて進入口１３０から中へ進入しようとする。また、捕獲室Ａ内におとりとなる別グループのカラスＫを放すと、空中にいるカラスＫが自分達の縄張りを荒らすものと判断して中のカラスＫを攻撃するために進入口１３０から中へ進入しようとする。さらに、中のカラスＫが所属グループの仲間であれば安心して進入しようとする（カラスは団体行動を志向しやすい習性がある）。
【００２５】
このとき進入口１３０の近傍に止まり木１３１が取り付けられているので、空中のカラスＫはいったん止まり木１３１に止まってから進入口１３０への進入を試みることができ、羽根を閉じた姿勢で抵抗なく進入することができる。しかも、止まり木１３１に止まると、その視線の高さより進入口１３１を見下ろす姿勢となるので、進入口１３０の周囲の脱出防止部材１６１〜１６３が見え難くなるという作用を発揮する。
【００２６】
したがって、進入口１３０の周囲に下向きに取り付けられた三列の脱出防止部材１６１〜１６３は、進入口１３０へのカラスの進入を妨げることがなく、また、三列の脱出防止部材１６１〜１６３は図に示すように進入口１３０側の列が最も短く、外側の列になるに従って長くなるように配列されているから、止まり木１３１による効果とも相まって、進入しようとするカラスＫの視界には各列の脱出防止部材１６１〜１６３が入りにくく、したがってカラスＫは抵抗なく、安心して、容易に内部に進入できる。
【００２７】
一方、捕獲室Ａ内のカラスＫは、進入口１３０から外に脱出しようと試みても脱出防止装置１６０の存在により脱出が防止される。すなわち、図６に示すように、地面Ｇ上のカラスＫが天井の進入口１３０から脱出しようとして進入口１３０を見上げると、進入口１３０の周囲に吊り下がる複数列の棒状部材（脱出防止部材１６１〜１６３）が視界に入る。羽根を広げて進入口１３０へ向けて飛ぼうとすると、広げた羽根が複数列のいずれかの列の棒状部材に引っ掛かってしまうため、警戒心の強いカラスは脱出しようとする動作を躊躇する。
【００２８】
捕獲室Ａには、図２に示すように、フリースペース室Ｂにつながる開口部１５０が設けられているから、捕獲室Ａ内のカラスＫは開口部１５０を通り、より広いフリースペース室Ｂに移動しようとする。広いフリースペース室Ｂにはこのようにして多くのカラスが集まり、思い思いに休息したり、自由に過ごすことができる。カラスは団体行動を志向し、好奇心も強いから、フリースペース室Ｂ内の仲間のカラスの行動を見て、捕獲室Ａからフリースペース室へと集まるようになる。
【００２９】
このようにして、進入口１３０から捕獲室Ａにいったん進入したカラスは、再び進入口１３０から外部に脱出することはできず、捕獲室Ａから順次、フリースペース室Ｂへと移動し、これにより多数のカラスを捕獲できる。
【００３０】
上記構成の捕獲装置１００を用いることにより、カラスの集団行動や社会性等の習性（カラスは鳥類のなかでも知能が発達しているとされ、社会性をもち、数羽から万単位で行動を共にし、仲間と協力し、互いに意志疎通を図りながら行動する習性があるとされる）を利用して、大量のカラスを捕獲できる。
【００３１】
上記捕獲装置１００の設置場所は、設置可能なスペースがあればよく、ゴミ集積所の近く、農地の近く、牧場や養鶏場、家畜舎の近くに設置可能である。そのような場所に設置することで、大量のカラスを捕獲し、被害を効果的に防ぐことができる。
【００３２】
以上の実施形態では捕獲対象としてカラスの例を挙げたが、これに限らず、例えば鳩、ひよどり等を捕獲対象とすることも可能である。
【００３３】
設置費用は、既存のパイプ、鋼材、金網を使用できるので、安価な費用で実現することができる。
【００３４】
かくして、本考案の捕獲装置によると、カラスを代表とする有害鳥獣を大量に捕獲し、それらによる被害の大幅な低減化を図ることができる。
【産業上の利用可能性】
【００３５】
本考案は、カラス等の特に有害な鳥獣類を捕獲するための装置として利用可能である。
【符号の説明】
【００３６】
１００  捕獲装置
１１０  枠体
１１１  支柱
１１２  第１水平部材
１１３  第２水平部材
１１４  第３水平部材
１２０  金網体
１２１  天井金網部
１２２  側面金網部
１２３、１２４  中間金網部
１３０  進入口
１３１  止まり木
１４０  出入り用扉
１５０  開口部
１６０  脱出防止装置
１６１，１６２，１６３  脱出防止部材
Ａ  捕獲室
Ｂ  フリースペース室
Ｇ  地面
Ｋ  カラス（鳥獣）
【図１】
0003193613.tif 000003
【図２】
0003193613.tif 000004
【図３】
0003193613.tif 000005
【図４】
0003193613.tif 000006
【図５】
0003193613.tif 000007
【図６】
0003193613.tif 000008